(57)【要約】【課題】  デジタルカメラ等を用いて、患者を撮影する際、撮影構図が、以前撮影した画像と異なることがあり、画像を用いた診断が困難である。【解決手段】  画像を取得する取得手段と、前記取得手段が取得した画像を投影する投影用レンズを有する投影手段と、被写体を撮影する撮影手段と、前記撮影手段が前記被写体を撮影する際に、前記投影手段による画像の投影を中止する投影制御手段と、を備える撮影装置。【選択図】  図１
2015132697.tif 000002
【特許請求の範囲】
【請求項１】
画像を取得する取得手段と、
前記取得手段が取得した画像を投影する投影用レンズを有する投影手段と、
被写体を撮影する撮影手段と、
前記撮影手段が前記被写体を撮影する際に、前記投影手段による画像の投影を中止する投影制御手段と、
を備えることを特徴とする撮影装置。
【請求項２】
前記撮影手段が前記投影用レンズと光軸がほぼ平行で、かつ視差がほとんど無い撮影用レンズを備えることを特徴とする請求項１に記載の撮影装置。
【請求項３】
撮影実行の指示に用いられる指示手段をさらに備え、
前記指示手段を用いて撮影実行が指示されたときに、前記投影制御手段が前記投影手段による画像の投影を中止することを特徴とする請求項１または２に記載の撮影装置。
【請求項４】
前記取得手段が取得した画像から撮影対象部位の画像を抽出する抽出手段と、
をさらに備えることを特徴とする請求項１乃至３のいずれか１項に記載の撮影装置。
【請求項５】
前記投影手段が画像の投影を行う際に、投影画像の焦点を自動で合わせる焦点補正手段と、
をさらに備えることを特徴とする請求項１乃至４のいずれか１項に記載の撮影装置。
【請求項６】
前記画像には、病院で規定した撮影パターン画像、または、過去に撮影した撮影対象患者の画像が含まれることを特徴とする請求項１乃至５のいずれか１項に記載の撮影装置。
【請求項７】
前記撮影手段が撮影した画像を患者情報と関連付ける関連付け手段と、
前記患者情報と関連付けられた画像、及び、前記撮影パターン画像を保管する保管手段と、
前記取得手段が前記画像保管手段から取得する前記画像を検索するための条件を設定する条件設定手段と、
をさらに備えることを特徴とする請求項１乃至６のいずれか１項に記載の撮影装置。
【請求項８】
画像を取得する取得手段と、
前記取得手段が取得した画像を投影する投影用レンズを有する投影手段と、
被写体を撮影する撮影手段と、
前記撮影手段が前記被写体を撮影する際に、前記投影手段による画像の投影を中止する投影制御手段と、
前記取得手段が取得した画像から撮影対象部位の画像を抽出する抽出手段と、
前記投影手段が画像の投影を行う際に、投影画像の焦点を自動で合わせる焦点補正手段と、
前記撮影手段が撮影した画像を患者情報と関連付ける関連付け手段と、
前記患者情報と関連付けられた画像、及び、前記撮影パターン画像を保管する画像保管手段と、
前記取得手段が前記画像保管手段から取得する前記画像を検索するための条件を設定する条件設定手段と、
を備えることを特徴とする撮影システム。
【請求項９】
画像を投影する投影用レンズを有する投影手段と、被写体を撮影する撮影手段とを少なくとも用いて撮影する撮影方法であって、
取得手段が、画像を取得する画像取得工程と、
前記投影手段が、前記取得手段が取得した画像を投影する画像投影工程と、
投影制御手段が、前記撮影手段が前記被写体を撮影する際に、前記投影手段によって被写体に投影されている画像の投影を中止する画像投影制御工程と、
前記撮影手段が、被写体を撮影する撮影工程と、
を含むことを特徴とする撮影方法。
【請求項１０】
画像を投影する投影用レンズと、被写体を撮影する撮影用レンズとを少なくとも有する装置の制御をコンピュータに実行させるためのプログラムであって、
コンピュータを、
画像を取得する取得手段と、
前記取得手段が取得した画像を、前記投影用レンズを用いて投影する投影手段と、
前記撮影用レンズを用いて、被写体を撮影する撮影手段と、
前記撮影手段が前記被写体を撮影する際に、前記投影手段による画像の投影を中止する投影制御手段として機能させることを特徴とするコンピュータが読み取り可能なプログラム。
【発明の詳細な説明】
【技術分野】
【０００１】
本発明は、被写体を撮影する撮影装置、撮影システム、撮影方法及びプログラムに関する。
【背景技術】
【０００２】
近年、デジタルカメラの高性能化、低価格化が進み、医療現場においても、デジタルカメラで患部を撮影した画像を用いた診断、及び治療後の経過観察が日常的に行われるようになってきている。
撮影画像を用いた診断、及び治療後の経過観察を正確に行うためには、過去に撮影した当該患者の画像の構図と合わせる必要があり、医師や看護師等の撮影者は、過去に撮影した当該患者の画像を目視確認しながら患者を撮影している。また、患者を撮影する際の撮影構図を規定している医療現場も存在しており、その場合も同様に、撮影者は、規定した撮影構図の画像を目視確認しながら患者を撮影している。
【０００３】
しかし、このような撮影手法では、患者を撮影する際、実世界と仮想世界を跨ぐ必要があるため、撮影行為に非常に手間が掛かり、且つ、撮影者によって、撮影画像の構図が異なる場合がある。なお、実世界とは過去に撮影した当該患者の画像、もしくは、病院が規定した撮影構図画像であり、仮想世界とはファインダー内の被写体を表す。
つまり、「患者を撮影する際、実世界と仮想世界を跨ぐ必要がある」とは、例えば１）過去に撮影した患者の画像を見る、２）ファインダー内の当該患者を見る、必要がある、という意味である。そして、通常は、１）を行った後に２）を行い、その後にまた１）を行い、その後さらに２）を行うというように１）と２）を何回か繰り返す必要がある。
これに対して、非特許文献１では、実世界と仮想世界を跨がずに撮影する方法として、デジタルカメラにプロジェクタを搭載し、撮影領域をプロジェクタで投影することで、ファインダーを覗かずに被写体を撮影する方法が提案されている。
【先行技術文献】
【非特許文献】
【０００４】
【非特許文献１】上羽優貴、梶原康弘、上村敬志、酒田信親、西田正吾:“ＣｌｉｐｐｉｎｇＬｉｇｈｔ：投影式ビューファインダとひねりズームを組み合わせた手軽で素早い撮影手法”、 インタラクション２０１２、 ｐｐ．８１−８８ 東京（２０１２年３月）
【発明の概要】
【発明が解決しようとする課題】
【０００５】
しかしながら、非特許文献１の技術では、ファインダーを覗かずに（実世界のみで）、患者を撮影することが可能であるが、過去に撮影した当該患者の画像、もしくは、病院が規定した撮影構図画像を目視確認しながら撮影する状況は変わらない。従って、撮影行為に手間が掛かり、且つ、撮影者によって、撮影画像の構図が異なるという課題を解決することができない。
本発明は、上記課題に鑑みてなされたものであり、ファインダー内の被写体を見る、当該被写体を過去に撮影した画像などを見る、という行為を繰り返さずに、確実に、所定の構図で患者を撮影する撮影装置、及び撮影システムを提供することを目的とする。
【課題を解決するための手段】
【０００６】
前記課題を解決するために、本発明の撮影装置は、以下の構成を採用する。即ち、
画像を取得する取得手段と、
前記取得手段が取得した画像を投影する投影用レンズを有する投影手段と、
被写体を撮影する撮影手段と、
前記撮影手段が前記被写体を撮影する際に、前記投影手段による画像の投影を中止する投影制御手段と、を備える。
また、本発明の撮影システムは、以下の構成を採用する。
画像を取得する取得手段と、
前記取得手段が取得した画像を投影する投影用レンズを有する投影手段と、
被写体を撮影する撮影手段と、
前記撮影手段が前記被写体を撮影する際に、前記投影手段による画像の投影を中止する投影制御手段と、
前記取得手段が取得した画像から撮影対象部位の画像を抽出する抽出手段と、
前記投影手段が画像の投影を行う際に、投影画像の焦点を自動で合わせる焦点補正手段と、
前記撮影手段が撮影した画像を患者情報と関連付ける関連付け手段と、
前記患者情報と関連付けられた画像、及び、前記撮影パターン画像を保管する画像保管手段と、
前記取得手段が前記画像保管手段から取得する前記画像を検索するための条件を設定する条件設定手段と、を備える。
【発明の効果】
【０００７】
本発明によれば、例えば患者を撮影する際、過去に撮影した当該患者の画像や病院で規定した撮影パターン画像とファインダー内の患者とを見比べることなく、確実に所定の構図で撮影することができ、撮影画像を用いた診断、及び治療後の経過診察が容易になる。
【図面の簡単な説明】
【０００８】
【図１】本発明の実施形態の構成を示すブロック図である。
【図２】本発明の実施形態の処理を説明するためのフローチャートである。
【図３】本発明の実施形態の条件設定手段の例である。
【図４】本発明の実施形態の病院で規定した撮影パターン画像の例である。
【発明を実施するための形態】
【０００９】
［実施形態１］
以下、本発明をプロジェクタ付きデジタルカメラ(以下、「カメラ」という)、及び同カメラが備える撮影システムにおいて実行される実施形態について図面を用いて説明する。しかし、かかる実施形態が本発明の技術的範囲を限定するものではない。
図１は、本発明の実施の形態にかかわる撮影システムの一例を示すブロック図である。
本発明の実施の形態にかかわる撮影システム１００は、下記の各部から構成される。
【００１０】
画像取得部１０２は、画像投影部１０４によって投影する画像を取得する。
後述するように、画像検索条件設定部１０３で設定した検索条件に合致する画像を画像保管部１０６に保管されている画像の中から検索し、取得し得ることが好ましい。
画像投影部１０４は、投影用レンズ１１１を有し、画像取得部１０２が取得した画像を投影面１１３に投影する。
後述するように、必要に応じて、画像取得部１０２が取得した画像から撮影対象部位抽出部１０１が抽出して生成した画像を投影面１１３に投影しうることが好ましい。
【００１１】
撮影部１０８は、撮影用レンズ１１２を有し、撮影対象である患者（以下、「撮影対象患者」とも記載する）やその患部などの被写体を撮影する。
投影用レンズ１１１と撮影用レンズ１１２とは、２つのレンズの光軸がほぼ平行になり、かつ視差がほとんど無いように配置する。
医師や看護師などの撮影者が、撮影対象がとるべき姿勢を投影面１１３に投影した投影画像と、投影面１１３の前に存在する患者などの撮影対象１１４の実際の姿勢とがほぼ一致した判断した瞬間に、撮影実行を指示する指示手段（不図示）を押す。撮影対象がとるべき姿勢とは、疾患の種類や疾患の部位などに応じて、疾患に関連する学会や各病院で規定した所定の姿勢などを意味する。指示手段は、例えば、物理的なシャッターボタンやタッチパネル（操作パネル）上に表示されたボタンなどである。
【００１２】
画像投影制御部１０５は、撮影部１０８が患者などの撮影対象を撮影する直前に、画像の投影を中止する。例えば、撮影者が指示手段（不図示）を押すなどして撮影実行を指示した後、シャッターが開く前に画像の投影を中止する。そして、画像の投影を中止した直後にシャッターが開き、デジタルカメラの受光素子が受光する時には投影面１１３に画像は投影されていない。このため撮影された画像には、直前まで投影されていた画像は写っていない。したがって、撮影後に、デジタル画像処理技術などを用いて撮影画像から投影画像を除去する必要がない。
【００１３】
画像保管部１０６は、病院で規定した撮影パターン画像やこれまでに撮影対象患者を撮影した画像などを格納する。
画像検索条件設定部１０３を用いて、画像保管部１０６に格納されている画像を検索するための条件を設定する。例えば、液晶ディスプレイなどの表示部１１０の画面に検索条件の候補を表示し、撮影者にそれら候補のいずれかの選択を促し、撮影者によって選択された条件を検索条件として設定する。
【００１４】
撮影対象部位抽出部１０１は、取得した画像が過去に撮影した撮影対象患者の画像の場合は、当該画像から背景情報等を除去し、撮影対象部位のみを抽出した画像を生成する。
焦点補正部１０７は、画像投影部１０４が投影している画像の焦点を撮影対象のカメラ側の表面に合わせる。
焦点補正部１０７は、１）撮影対象１１４が投影面１１３の前に存在しないときは、投影画像の焦点が投影面１１３に合い、２）撮影対象１１４が投影面の前に存在するときは、投影画像の焦点が撮影対象のカメラ側の表面に合う、ようにすることが好ましい。
【００１５】
厳密には、焦点が合う投影面とは投影用レンズ１１１の光軸に対して垂直な投影面であってかつ投影用レンズ１１１から所定の距離にある投影面であるが、現実的には焦点が合う投影面の前後に焦点が合っているように見える範囲が存在する。よって、焦点補正部１０７は、投影面１１３及び撮影対象のカメラ側の表面の両方が、焦点が合っているように見える範囲内に入るように焦点を補正することが好ましい。
【００１６】
焦点補正部１０７は、例えば、１）投影面１１３から撮影対象１１４の厚みＴの１／２の距離だけカメラ寄りの位置が厳密な意味での焦点の位置になり、かつ２）焦点深度が撮影対象１１４の厚みＴと等しくなるようにする。このような状態で、投影面１１３の前に撮影対象１１４を置き（または立たせ）、かつ撮影対象１１４の表面であってカメラとは反対側の表面が投影面１１３に接するようにする。このようにすることで、投影面１１３でも、撮影対象１１４のカメラ側の表面のどの位置でも投影画像の焦点が合う（焦点が合っているように見える）。
患者情報関連付け部１０９は、撮影部１０８が撮影した画像に、患者を一意に識別するための情報や撮影した部位の情報等を関連付け、撮影画像を画像保管部１０６に保管する。
【００１７】
本実施の形態における処理の手順について、図２、図３、及び図４を用いて説明する。
ステップＳ２０１で、撮影者（例えば、医師や看護師等）は、画像検索条件設定部１０３を用いて、画像投影部１０４で投影する画像を画像保管部１０６から取得するための検索条件を設定する。
画像検索条件設定部１０３は、例えば、図３に示す画像検索条件設定画面３００を表示部１１０に表示可能な構成になっており、画像検索条件設定画面は下記項目を含む。
・患者を一意に識別できる情報である患者ＩＤ３０１
・「全身」、「右手」、「左手」などの撮影対象部位３０２
・投影する画像カテゴリ（病院で規定した撮影パターン画像３０３、もしくは、過去に撮影した撮影対象患者の画像３０７のいずれか一方を選択することができる。撮影パターン画像の一例を図４に示す。）
・撮影パターン画像３０４（投影する画像カテゴリとして病院で規定した撮影パターン画像３０３を選択した場合のみ設定可能）
・画像が撮影された日時３０５と過去画像から撮影対象部位のみ抽出して投影するか否か３０６（投影する画像カテゴリとして過去に撮影した撮影対象患者の画像を選択した場合のみ設定可能）
【００１８】
また、これらの設定値は、例えば、病院内に設置されている患者情報を管理するサーバ、もしくは、画像保管部１０６から取得すればよい。
なお、撮影パターン（撮影構図画像）を追加したい場合は、追加する撮影パターン画像を画像保管部１０６に格納し、パターン画像を識別する識別番号を追加すればよい。また、本実施形態の画像検索条件設定画面３００では、各種検索条件の選択に、ラジオボタンとリストボックスを用いて実現しているが、本発明はこれに限定されるものではない。
【００１９】
ステップＳ２０２で、撮影者がステップＳ２０１で設定した検索条件に基づき、画像取得部１０２が、画像保管部１０６から画像を取得する。
ステップＳ２０１で、撮影者が、投影する画像カテゴリとして過去に撮影した撮影対象患者の画像３０７を設定した場合は、取得した画像を過去に撮影した当該患者の画像と判断し、ステップＳ２０４に進む。
ステップＳ２０１で、撮影者が、投影する画像カテゴリとして病院で規定した撮影パターン画像３０３を設定した場合は、取得した画像を病院で規定した撮影パターン画像と判断し、ステップＳ２０６に進む。
画像が取得できなかった（設定した検索条件に合致する画像が存在しない）場合は、ステップＳ２０３に進む。
なお、画像保管部１０６は、カメラ内に設けてもよく、また、病院内に設置されたデータサーバで実現してもよい。カメラ内に設ける場合は、ＳＤメモリカードなどを記憶媒体として用いればよい。病院内に設置されたサーバで実現する場合には、データサーバとカメラとの通信方式は、例えば、Ｗｉ-ＦｉやＢｌｕｅｔｏｏｔｈ（登録商標）等の従来技術を用いればよい。
【００２０】
ステップＳ２０３で、撮影者は、画像投影部１０４で投影する画像の検索条件を再設定するか否かを判断する。設定した検索条件が誤っていた等の理由で、再度、検索条件を設定する場合は、ステップＳ２０１に進み、検索条件を設定しない場合は、ステップＳ２０９に進む（この場合は、画像の投影が行われない）。
なお、再度、検索条件を設定しない場合とは、例えば、正しい検索条件を設定したが、画像保管部１０６に、条件に合致する画像が存在しない状態である。
【００２１】
ステップＳ２０４で、撮影者がステップＳ２０１で過去画像から撮影対象部位のみ抽出して投影するか否か３０６を「はい」に設定した場合は、ステップＳ２０２で取得した画像から部位情報のみを抽出した画像を生成するために、ステップＳ２０５に進む。「いいえ」に設定した場合は、ステップＳ２０２で取得した画像から部位情報のみを抽出する必要がないため、ステップＳ２０６に進む。
【００２２】
ステップＳ２０５で、撮影対象部位抽出部１０１は、ステップＳ２０２で取得した過去に撮影した撮影対象患者の画像から、背景情報等を除去し、撮影対象部位情報のみを抽出した画像を生成する。撮影対象部位情報のみを抽出する方法は、例えば、エッジ抽出フィルタ等のデジタル画像処理技術を用いればよい。
このように、撮影対象部位抽出部１０１が、撮影対象部位情報のみを抽出することで、ステップＳ２０６において、画像を投影する際、過去に撮影した撮影対象患者の画像に含まれる背景画像等の不必要な情報の投影を防止できる。従って、ステップＳ２０８において、撮影対象患者は、投影画像の各部位の位置に撮影対象の各部位の位置を合せることが容易になる。なお、ステップＳ２０６及び、ステップＳ２０８の詳細は後述する。
【００２３】
ステップＳ２０６で、画像投影部１０４は、ステップＳ２０２で取得した画像、もしくは、ステップＳ２０５で生成した画像を投影面１１３に投影し、焦点補正部１０７が、投影画像の焦点を自動的に調整する。焦点を調整する方法は、例えば、画像投影部１０４と投影面１１３との距離を測定する等の従来技術を用いればよい。
ステップＳ２０７で、撮影者は、投影された画像が、想定した画像か否かを判断する。想定した画像が投影されている場合は、ステップＳ２０８に進み、ステップＳ２０１で設定した検索条件が誤っていた等の理由で、想定外の画像が投影されている場合は、ステップＳ２０１に進み、投影画像の検索条件を再設定する。
【００２４】
ステップＳ２０８で、撮影対象患者は、投影されている画像が、過去に撮影した撮影対象患者の画像、もしくは、撮影対象部位のみを抽出した画像の場合は、撮影対象となる部位を投影画像上に合わせる。
例えば、投影画像が左手の掌であれば、投影画像の左手の各指の先端の位置と、撮影対象となる左手の各指の先端の位置とがほぼ一致するように、位置を合わせる。
投影面１１３に投影された投影画像を見てから、位置合わせを開始する場合、画像投影部１０４と投影面１１３との間に撮影対象が存在しない投影開始時点では、投影画像の焦点は投影面１１３に合っていることが好ましい。
次に、位置合わせを開始し、画像投影部１０４と投影面１１３との間に撮影対象が存在するようになった時点では、投影画像の焦点は投影面１１３及び撮影対象のカメラ側の表面の両方に合っていることが好ましい。
一方で、撮影されている画像が、病院で規定した撮影パターン画像の場合は、撮影対象である患者は患者自身に投影されている撮影パターンと患者自身の姿勢がほぼ同じになるように撮影ポーズを取る。
なお、何らかの理由で、撮影対象患者が、投影画像上に撮影対象部位を合わせることが困難、もしくは、撮影ポーズを取ることが困難な場合は、撮影者が、撮影対象患者に指示、誘導、または、カメラを移動する等を行うことで、投影画像上に撮影対象を合わせる。撮影者は、投影画像上に撮影対象部位が合った、もしくは、投影画像上で撮影ポーズが取られたことを確認してから、ステップＳ２０９に進む。
【００２５】
ステップＳ２０９で、撮影者は、カメラの撮影ボタン（指示手段）を押下する。
ステップＳ２１０で、画像投影制御部１０５は、投影面１１３に画像が投影されているか否かを確認する。画像が投影されている場合は、ステップＳ２１１に進み、画像が投影されていない場合は、ステップＳ２１２に進む。
ステップＳ２１１で、画像投影制御部１０５は、画像の投影を中止する。
【００２６】
ステップＳ２１２で、撮影部１０８は、撮影対象患者を撮影する。
なお、撮影対象を撮影する際に、画像が投影されている場合は、ステップＳ２１１で画像の投影を中止しているため、撮影部１０８が撮影した撮影画像には、投影画像が含まれない。従って、撮影後に、デジタル画像処理技術等を用いて撮影画像から投影画像を除去する処理が必要ない。
なお、ステップ２１２における撮影後に、投影画像を再び投影するとしても良い。
【００２７】
ステップＳ２１３で、撮影者は、ステップＳ２１２で撮影した撮影画像を確認し、撮影画像を画像保管部１０６に保管するか否かを判断する。撮影画像が暗い、ピントがぼけている、歪んでいる等の理由で、撮影画像を用いた診断や治療後の経過観察に使用できない場合は、ステップＳ２０６に進んで、再度撮影行為を行い、撮影画像に問題がない場合は、ステップＳ２１４に進む。
【００２８】
ステップＳ２１４で、患者情報関連付け部１０９は、ステップＳ２１２で撮影した撮影画像と、患者情報を関連付け、画像保管部１０６に保管する。関連付ける患者情報は、撮影者がステップＳ２０１で設定した患者ＩＤ３０１、及び撮影対象部位３０２を利用すればよい。
また、撮影画像と関連付けた患者情報を、例えば、病院内に設置されている患者情報を管理するサーバ、もしくは、画像保管部１０６で保管することで、ステップＳ２０１で行う投影画像の検索条件設定において設定可能になる。
以上のような本実施形態によれば、次の効果を得ることができる。
【００２９】
（１）過去に撮影した当該対象者の画像、もしくは、病院で規定した撮影パターン画像、もしくは、撮影対象部位画像を、カメラに搭載されたプロジェクタで投影することで、確実に、所定の構図で撮影することができる。
（２）システムが大掛かりにならないため、診察室・病室・手術室等、どこでも所定の構図で患者を撮影することできる。
（３）撮影時に画像の投影を中止することで、撮影後に、撮影画像から投影画像を除去する必要がない。
（４）撮影後に投影画像を再び投影するとした場合、再び投影された画像とそのときの被検体（被写体）とを比較することによって、撮影指示から実際の撮影の間に被検体（被写体）が動いてしまっているか（所定の構図からずれているか）を確認することができる。
［その他の実施形態］
なお、本発明は、複数の機器から構成されるシステムの１部として適用してもよいし、１つの機器からなる装置の１部に適用してもよい。
また、本発明は上記実施形態を実現するための装置及び方法のみに限定されるものではない。
例えば、上記システム又は装置内のコンピュータ（ＣＰＵ或いはＭＰＵ）に、上記実施形態を実現するためのソフトウェアのプログラムコードを供給するものも本発明の範疇に含まれる。また、このプログラムコードに従って上記システム或いは装置のコンピュータが上記各種デバイスを動作させることにより上記実施形態を実現する場合も本発明の範疇に含まれる。
【００３０】
この場合、前記ソフトウェアのプログラムコード自体が上記実施形態の機能を実現することになる。即ち、そのプログラムコード自体、及びそのプログラムコードをコンピュータに供給するための手段、具体的には上記プログラムコードを格納した記憶媒体も本発明の範疇に含まれる。
この様なプログラムコードを格納する記憶媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ（ＤＶＤ−ＲＯＭ、ＤＶＤ−Ｒ）、磁気テープ、不揮発性のメモリカード、ＲＯＭ等を用いることができる。
【００３１】
その他、プログラムの供給方法としては、クライアントコンピュータのウェブブラウザを用いて接続したインターネットのホームページから本発明のコンピュータプログラムそのものをハードディスク等の記録媒体にダウンロードすることによっても供給できる。また、本発明のコンピュータプログラムが圧縮され自動インストール機能を含むファイルとなっているものをハードディスク等の記録媒体にダウンロードすることによっても供給できる。
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルをユーザに対してダウンロードさせるＷＷＷサーバも、本発明に含まれる。
【００３２】
また、本発明は上記プログラムコードのみに従って各種デバイスを制御することにより、上記実施形態の機能が実現される場合に限らない。例えば、上記プログラムコードがコンピュータ上で稼働しているＯＳ（オペレーティングシステム）、或いは他のアプリケーションソフト等と共同して上記実施形態が実現される場合も本発明の範疇に含まれる。
更に、コンピュータの機能拡張ボードに備わるメモリに格納された上記プログラムコードの指示に基づいて、その機能拡張ボードに備わるＣＰＵ等が実際の処理の一部または全部を行う場合なども本発明の範疇に含まれる。
【符号の説明】
【００３３】
１００  撮影システム
１０１  撮影対象部位抽出部
１０２  画像取得部
１０３  画像検索条件設定部
１０４  画像投影部
１０５  画像投影制御部
１０６  画像保管部
１０７  焦点補正部
１０８  撮影部
１０９  患者情報関連付け部
１１０  表示部
１１１  投影用レンズ
１１２  撮影用レンズ
１１３  投影面
１１４  撮影対象
【図１】
2015132697.tif 000003
【図２】
2015132697.tif 000004
【図３】
2015132697.tif 000005
【図４】
2015132697.tif 000006